(57)【要約】【課題】機械操作部の操作を要することなく操作者の意図する状態で注目部位を正確に捉えることができ、もって被検体の被曝線量ならびに操作者の操作ストレスを軽減できるＸ線画像診断装置を提供することを目的とすること。【解決手段】本発明では、被検体を搭載する寝台、寝台４を挟み込むようにＸ線発生部とＸ線検出部とを対向配置にて保持するアーム、被検体の透過Ｘ線データから生成されたＸ線画像を表示する画像表示部ならびに各装置を統制する制御系１４を備えるＸ線画像診断装置おいて、制御系は、画像表示部の表示画面上でＸ線画像の特定の位置が指定されたとき、指定された位置が表示画面の最適表示位置に映る撮影が行われるように、寝台とＸ線発生部との相対位置の調節（ステップＳ２０１〜ステップＳ２０４）を行うようにした。【選択図】  図５
2010201103.tif 000002
【特許請求の範囲】
【請求項１】
被検体を搭載する寝台、寝台を挟み込むようにＸ線発生部とＸ線検出部とを対向配置にて保持するアーム、被検体の透過Ｘ線データから生成されたＸ線画像を表示する画像表示部ならびに各装置を統制する制御系を備えるＸ線画像診断装置において、
前記制御系は、画像表示部の表示画面上でＸ線画像の特定の位置が指定されたとき、指定された位置が表示画面の最適表示位置に映る撮影が行われるように、寝台とＸ線発生部との相対位置の調節を行うことを特徴とするＸ線画像診断装置。
【請求項２】
前記制御系は、撮影条件の設定工程で生成される透視Ｘ線画像を画像表示部に表示し、この透視Ｘ線画像の特定の位置が指定されたときに前記寝台とＸ線発生部との相対位置の調節を行うことを特徴とする請求項１に記載のＸ線画像診断装置。
【請求項３】
前記制御系は、透視Ｘ線画像のうち少なくとも撮影条件の設定工程が完了した時点の最後の透視Ｘ線画像を選択的に画像表示部に表示することを特徴とする請求項２に記載のＸ線画像診断装置。
【請求項４】
前記制御系は、前記寝台とＸ線発生部との相対位置の調節を行う前にあらかじめ、その寝台とＸ線発生部との相対位置の調節を行った後の撮影で取得されるＸ線画像が所定の平均輝度レベルとなるために必要な撮影条件を推定する撮影条件推定処理を行う最適撮影条件推定部を有することを特徴とする請求項１ないし請求項３の何れか１項に記載のＸ線画像診断装置。
【請求項５】
前記制御系は、Ｘ線画像の平均輝度レベルと撮影条件とが相関付けられた撮影条件データベースを記憶する記憶部を有し、
前記最適撮影条件推定部は、前記寝台とＸ線発生部との相対位置の調節を行う前にあらかじめ、最適表示位置を対象として平均輝度レベルを算出し、撮影条件データベースに登録された撮影条件の中から、算出した平均輝度レベルに相関付けられた撮影条件を選択することを前記撮影条件推定処理の内容とすることを特徴とする請求項４に記載のＸ線画像診断装置。
【請求項６】
前記最適撮影条件推定部は、撮影条件の設定工程が完了した時点の透視条件を１つの指標として用い、前記撮影条件推定処理を行うことを特徴とする請求項４または請求項５に記載のＸ線画像診断装置。
【請求項７】
前記表示画面の最適表示位置は、表示画面の中央に設定されることを特徴とする請求項１ないし請求項６の何れか１項に記載のＸ線画像診断装置。
【発明の詳細な説明】
【技術分野】
【０００１】
本発明は、被検体を搭載する寝台を挟み込むように対向配置されたＸ線発生器とＸ線検出器とを備えるＸ線画像診断装置に係り、特に、寝台やＸ線発生部の姿勢調節機構を備えて被検体の撮影範囲を調節できるＸ線画像診断装置に関する。
【背景技術】
【０００２】
Ｘ線画像診断装置は、少ない被曝線量で診断に必要な画質のＸ線画像が得られるよう、診断目的、診断部位、体格等に応じた透視用或いは撮影用のＸ線を投射する。
【０００３】
従来、被検体を搭載する寝台を挟み込むように対向配置されたＸ線発生部とＸ線検出部とを備えるＸ線画像診断装置が提案されている（特許文献１参照）。このＸ線画像診断装置にあっては、寝台を昇降或いは起倒させ且つ撮像部を患者の体軸方向または体軸直交方向に移動させることにより、患者の体位を横臥状態、立位状態または斜め状態として被検体の所望部位の透視および撮影を行うことができる。
【０００４】
通常、撮影の準備として患者を搭載した寝台とＸ線発生部との相対位置が大まかに調節され、撮影に望んでその相対位置が微調整される。そして、寝台等の位置調節は、寝台或いはコンソールに設けられる機械操作部を用いて行われる。
【先行技術文献】
【特許文献】
【０００５】
【特許文献１】特開平９−３１３４７１号公報
【発明の概要】
【発明が解決しようとする課題】
【０００６】
従来のＸ線画像診断装置にあっては、操作者の意図する状態で患部等の注目部位を捉えるには機械操作部の頻繁な操作が要求され、操作者のストレスとなっている。また、機械操作部の操作により、なかなか意図する状態で注目部位を捉えられないために透視時間が長くなってしまい、被検体の被曝線量が増加してしまう点も無視できない。
【０００７】
本発明は上記事情に鑑みてなされたもので、機械操作部の操作を要することなく操作者の意図する状態で注目部位を正確に捉えることができ、もって被検体の被曝線量ならびに操作者の操作ストレスを軽減できるＸ線画像診断装置を提供することを目的とする。
【課題を解決するための手段】
【０００８】
上述した目的を達成するため、本発明に係るＸ線画像診断装置では、被検体を搭載する寝台、寝台を挟み込むようにＸ線発生部とＸ線検出部とを対向配置にて保持するアーム、被検体の透過Ｘ線データから生成されたＸ線画像を表示する画像表示部ならびに各装置を統制する制御系を備えるＸ線画像診断装置において、前記制御系は、画像表示部の表示画面上でＸ線画像の特定の位置が指定されたとき、指定された位置が表示画面の最適表示位置に映る撮影が行われるように、寝台とＸ線発生部との相対位置の調節を行うことを特徴とする。
【発明の効果】
【０００９】
本発明によれば、機械操作部の操作を要することなく操作者の意図する状態で注目部位を正確に捉えることができ、もって被検体の被曝線量ならびに操作者の操作ストレスを軽減できる。
【図面の簡単な説明】
【００１０】
【図１】本発明に係るＸ線画像診断装置の実施形態を示す図。
【図２】図１のＸ線画像診断装置の制御系を示す機能ブロック図。
【図３】図２の制御系にて実行される自動輝度調節処理の流れを示すフローチャート。
【図４】図２の制御系にて実行される自動輝度調節処理の説明図。
【図５】図２の制御系にて実行される最適表示制御の流れを示すフローチャート。
【図６】図２の制御系にて実行される最適表示制御の説明図。
【図７】図２の制御系にて実行される最適撮影制御の流れを示すフローチャート。
【図８】図２の制御系にて実行される最適撮影制御の説明図。
【発明を実施するための形態】
【００１１】
本発明に係るＸ線画像診断装置の実施形態について、添付図面を参照して説明する。
【００１２】
図１は本発明に係るＸ線画像診断装置の実施形態を示す図である。
【００１３】
本実施形態のＸ線画像診断装置Ｕは、Ｘ線発生部１とＸ線検出部２とを対向させて固定支持するＣアーム３を備える。Ｘ線発生部１とＸ線検出部２の間には寝台４が設けられる。寝台４は、天板５および天板５を支える支持台６を有し、天板５は被検体Ｐを搭載して垂直方向や水平方向など所要の方向に移動可能に構成される。
【００１４】
天板５およびＣアーム３は、それぞれモータＭおよび位置センサＳを内蔵し、モータＭおよび位置センサＳは機械制御部７と接続される。機械制御部７は、寝台４の天板５とＣアーム３が所要の位置関係となるよう、位置センサＳのセンサ情報を用いて必要な駆動量を算出し或いは操作者による機械操作部８の操作量に応じてモータＭを制御する。
【００１５】
Ｘ線発生部１は、高電圧発生部９と接続され、高電圧発生部９から印加されるＸ線管電圧に応じたＸ線を被検体Ｐに向かって照射する。高電圧発生部９は、Ｘ線制御部１０と接続され、撮影および透視に際してＸ線発生部１に印加すべきＸ線管電圧の制御を受ける。Ｘ線検出部２は、例えばＩ．Ｉ．（イメージ・インテンシファイア）やＦＰＤ（Ｆｌａｔ Ｐａｎｅｌ Ｄｅｔｅｃｔｏｒ）などを用いて構成され、被検体Ｐを透過したＸ線を検出する。
【００１６】
撮影プロトコル選択部１１は、撮影条件や透視条件、撮影術式に応じた撮影条件の設定を可能にするキーボードやマウスその他の操作デバイスを有する。撮影プロトコル表示部１２は、撮影プロトコル選択部１１で設定されたＸ線条件を表示する。画像表示部１３は、所定の撮影条件に基づいた被検体の透視Ｘ線画像或いは撮影Ｘ線画像などの各種Ｘ線画像を表示する。
【００１７】
図２はＸ線画像診断装置Ｕの制御系を示す機能ブロック図である。  
Ｘ線画像診断装置Ｕの制御系１４は、メインＣＰＵ（Ｃｅｎｔｒａｌ  Ｐｒｏｃｅｓｓｉｎｇ  Ｕｎｉｔ）１５、主記憶装置１６、撮影プロトコル記録媒体（Ｘ線条件記録媒体）１７、位置記憶媒体１８、最適位置推定部１９、撮影条件記憶媒体２０、最適撮影条件推定部２１、画像処理用ＣＰＵ２２、画像信号処理部２３、画像記憶媒体２４、輝度制御部２５および露光タイマー制御部２６を有する。
【００１８】
メインＣＰＵ１５は、例えば、位置記憶媒体１８から予め設定された寝台４の天板５とＸ線検出部２の相対位置を示した情報を読み込み、この相対位置の情報を機械制御部７に送る。機械制御部７は、受け取った相対位置から天板５やＣアーム３の必要な駆動量を算出し、この駆動量に基づきモータＭを制御する。
【００１９】
また、メインＣＰＵ１５は、主記憶装置１６や撮影プロトコル記憶媒体１７から各種の撮影条件（例えば、高電圧発生部９から出力されるＸ線管電圧、Ｘ線管電流、Ｘ線の露光時間、Ｘ線発生部１の焦点サイズ）を読み込んでＸ線制御部１０に送る。Ｘ線制御部１０は、受け取った撮影条件に基づいて高電圧発生部９などを制御する。
【００２０】
最適位置推定部１９は、画像表示部１３に映し出されたＸ線画像領域のうち操作者により注目され指定された位置を、予め定義される表示画面の最適表示位置に移動させるのに必要となるＸ線発生部１と天板５との最適相対位置を推定する。最適表示位置は、例えば、画像表示部１３の表示画面中央に設定される。
【００２１】
メインＣＰＵ１５は、位置記憶媒体１８に記憶されているＸ線発生部１と天板５との相対位置情報に代えて、最適位置推定部１９により推定された最適相対位置情報を機械制御部７に送る。そして、機械制御部７は、最適位置推定部１９により推定された最適相対位置情報に基づきＣアーム３や天板５の駆動量を算出し、Ｃアーム３や天板５のモータＭを制御する。以下、最適位置推定部１９により推定された最適相対位置情報に基づくＸ線発生部１と天板５の相対位置調節を「最適表示制御」と称す。
【００２２】
なお、メインＣＰＵ１５は、操作者の選択を受けて、位置記憶媒体１８の相対位置情報を機械制御部７に送るか、最適位置推定部１９により推定された最適相対位置を機械制御部７に送るかの何れか一方を決定する。
【００２３】
撮影条件記憶媒体２０は、Ｘ線画像の平均輝度レベルと撮影条件とが相関付けられた撮影条件データベースを記憶する。
【００２４】
最適撮影条件推定部２１は、最適表示制御が行われる前にあらかじめ、画像表示部１３の表示画面に設定された最適表示位置を対象として平均輝度レベルを算出し、撮影条件データベースに登録され且つ算出した平均輝度レベルに対応する撮影条件を最適表示制御後の最適撮影条件と推定する。この最適撮影条件は、Ｘ線画像が所定の平均輝度レベルとなるために必要な最適な撮影条件であり、高電圧発生部９から出力される撮影Ｘ線管電圧、撮影Ｘ線管電流、露光時間、Ｘ線発生部１の焦点サイズなどから構成される。
【００２５】
メインＣＰＵ１５は、主記憶装置１６や撮影プロトコル記憶媒体１７に記憶されている撮影条件に代えて、最適撮影条件推定部２１により推定された最適撮影条件をＸ線制御部１０に送る。Ｘ線制御部１０は、受け取った最適撮影条件に基づいて高電圧発生部９や内蔵する露光タイマーなどを制御してＸ線照射を行う。
【００２６】
画像処理用ＣＰＵ２２と画像信号処理部２３は、協働してＸ線検出部２から受け取った被検体Ｐを通過した透過Ｘ線信号を信号処理してＸ線画像を生成する。また、この画像処理用ＣＰＵ２２と画像信号処理部２３は、協働して輝度制御部２５の自動輝度調節時に生成される透視Ｘ線画像のうち、少なくとも撮影条件の設定工程が完了した時点の最後の透視Ｘ線画像を画像表示部１３に表示し、必要に応じてその透視Ｘ線画像の画像データを画像記憶媒体２４に記録する。
【００２７】
輝度制御部２５は、Ｘ線検出部２から被検体Ｐを通過した透過Ｘ線の検出信号の入力を受け、画像表示部１３の表示画面に映し出される透視Ｘ線画像の輝度が適切となるように透視条件（透視Ｘ線管電圧、透視Ｘ線管電流）を決定（自動輝度調節（Automatic Brightness Control））し、この決定した透視条件を指標として定義される撮影条件（例えば、撮影Ｘ線管電圧、撮影Ｘ線管電流、撮影Ｘ線の露光時間、撮影Ｘ線発生部１の焦点サイズ）に関わる情報をＸ線制御部１０に送信する。
【００２８】
図３はＸ線画像診断装置Ｕの制御系１４にて実行される自動輝度調節処理の流れを示すフローチャートである。
【００２９】
ステップＳ１０１は、Ｘ線透視開始の指示があったか否か（Ｙｅｓ／Ｎｏ）を判定するステップである。Ｘ線透視開始の指示はユーザにより行われ、ステップＳ１０１で＜Ｙｅｓ＞と判定するまで次ステップには移行しない。
【００３０】
ステップＳ１０２は、ステップＳ１０１で＜Ｙｅｓ＞と判定した場合に実行し、初期設定による透視条件に基づく透視Ｘ線を被検体Ｐに向かって照射するステップである。
【００３１】
ステップＳ１０３は、被検体Ｐを通過した透過Ｘ線に基づくＸ線画像データを用いて透視Ｘ線画像を生成するステップである。
【００３２】
ステップＳ１０４は、ステップＳ１０３で生成した透過Ｘ線画像を画像表示部１３に表示するステップである。
【００３３】
ステップＳ１０５は、ステップＳ１０３で生成した透過Ｘ線画像の平均輝度レベルを算出すると共に平均輝度レベルが設定値に到達したか否か（Ｙｅｓ／Ｎｏ）を判定するステップである。平均輝度レベルは、例えば、画像表示部１３の表示画面中央位置の所定領域を対象として算出される。
【００３４】
ステップＳ１０６は、ステップＳ１０５で＜Ｎｏ＞と判定した場合に実行し、透視条件を変更するステップである。このステップＳ１０６の処理を実行した後は、ステップＳ１０２に移行する。すなわち、ステップＳ１０５で＜Ｙｅｓ＞と判定するまで、ステップＳ１０２→ステップＳ１０３→ステップＳ１０４→ステップＳ１０５→ステップＳ１０６の処理を繰り返し、随時変更される透視条件に基づいて、被検体Ｐに透視Ｘ線を照射する。
【００３５】
ステップＳ１０７は、ステップＳ１０６で＜Ｙｅｓ＞と判定した場合、すなわち、透視によるＸ線画像の平均輝度レベルが設定値に到達した場合、そのときの透視条件ならびに透視Ｘ線画像を保存（LIH：Last Image Hold）するステップである。
【００３６】
ステップＳ１０８は、ステップＳ１０７で保存した透視条件としての透視Ｘ線管電圧を用いて、撮影時のＸ線管電圧を含む撮影条件を決定するステップである。図６は自動輝度調節処理の説明図であり、ステップＳ１０８で実行される撮影条件（例えば、撮影Ｘ線管電圧、撮影Ｘ線管電流、撮影Ｘ線の露光時間、撮影Ｘ線発生部１の焦点サイズ）の決定方法の説明図である。撮影条件の決定は、図６に示すように、透視Ｘ線管電圧幅（例えば、５０〜７０ｋＶ、７０〜８０ｋＶ，８０〜９０ｋＶ）と撮影条件とを対応付けたテーブルを参照し、ステップＳ１０７で＜Ｙｅｓ＞と判定した時点の透視Ｘ線管電圧が何れの透視電圧幅に収まるかを判断して撮影条件を選択することにより行われる。
【００３７】
露光タイマー制御部２６は、被検体Ｐを通過した透過Ｘ線の検出信号をＸ線検出部２から受けると共にこの検出信号を積算する。この検出信号の積算値は、かかる検出信号の積算値が所定値に到達したタイミングで撮影時のＸ線照射を停止させるＸ線制御部１０の露光タイマー（図示省略）の制御信号として用いられる。
【００３８】
図４は最適表示制御の説明図であり、図５はＸ線画像診断装置Ｕの制御系１４にて実行される最適表示制御の流れを示すフローチャートである。
【００３９】
図５のステップＳ２０１は、表示画面２７（図４）の透視Ｘ線画像２８に含まれる関心部位２９のうち操作者によって特定の位置３０が指定されたとき、この指定された位置（指定位置）３０を判別するステップである。透視Ｘ線画像２８は、輝度制御部２５の自動輝度調節処理（図３参照）におけるステップＳ１０７の処理で保存されたものが用いられる。
【００４０】
指定位置３０の判別は、メインＣＰＵ１５により行われ、例えば操作者が表示画面２７の透視Ｘ線画像２８上でカーソル３１を移動させたときに、そのカーソル３１の位置をＸ線画像データから判別することにより行われる。
【００４１】
ステップＳ２０２は、ステップＳ２０１で判別された指定位置３０が例えば図４（ｂ）に示すように表示画面２７の最適表示位置としての中央位置３２に映るために必要なＸ線発生部１と天板５の最適相対位置を推定するステップである。
【００４２】
ステップＳ２０３は、ステップＳ２０２で推定されたＣアーム３と天板５の最適相対位置に基づいて機械制御部７がＣアーム３や天板５を駆動させるステップである。
【００４３】
ここに、表示画面２７における指定位置３０と中央位置３２との離間距離Ｘは、この指定位置３０を中央位置３２に移動させるために必要となるＣアーム３や天板５の駆動量Ｙとは相関があり、また、この相関はＸ線発生部１と被検体Ｐの離間距離に依存する画像拡大率その他の比例定数に依存する。最適位置推定部１９は、例えば、Ｙ＝ａ・Ｘ（ａは、比例定数であり任意に設定できる）の関係を用いて指定位置３０を中央位置３２に表示させるために必要なＣアーム３や天板５の駆動量を推定し、機械制御部７はこの駆動量に基づいてＣアーム３や天板５を駆動させるようにしてもよい。
【００４４】
ステップＳ２０４は、ステップＳ２０３で天板５とＸ線発生部１の相対位置が最適相対位置に到達した場合にその旨を報知するステップである。
【００４５】
図７はＸ線画像診断装置Ｕの制御系１４にて実行される最適撮影制御の流れを示すフローチャートである。図８は最適撮影制御の説明図である。
【００４６】
ステップＳ３０１は、最適表示制御（ステップＳ２０１〜ステップＳ２０４）を行う前に表示画面２７の最適表示位置（例えば、表示画面２７の最適表示位置としての中央位置３２（図６参照））の平均輝度レベルを算出するステップである。なお、この平均輝度レベルは、メインＣＰＵ１５により或いは画像処理用ＣＰＵ２２により行われ、表示画面２７の最適表示位置を含む所定画素領域を対象として行われる。
【００４７】
ステップＳ３０２は、ステップＳ３０１で算出した平均輝度レベルを指標として最適撮影条件を推定するステップであり、最適撮影条件推定部２１により行われる。
【００４８】
図８は最適撮影条件の推定処理の説明図である。
【００４９】
最適表示制御（図５のステップＳ２０１〜ステップＳ２０４参照）を行わない場合の通常の撮影条件は、現在のＸ線発生部１および天板５の相対位置のもとで、自動輝度調節処理におけるステップＳ１０８の処理により決定されたものが用いられる。
【００５０】
これに対し、最適表示制御を行った場合の最適撮影条件は、図８に示すよう、「透視Ｘ線管電圧幅および平均輝度レベル幅」と「撮影条件」とを対応付けたテーブルを参照し、自動輝度調節処理におけるステップＳ１０７で保存された現在の透視Ｘ線電圧および最適撮影制御におけるステップＳ３０１で算出した平均輝度レベル（表示画面２７の最適表示位置における平均輝度レベル）に対応する撮影条件を選択することで推定される。例えば、現在の透視Ｘ線電圧が「６０ｋＶ」であり且つ表示画面２７の最適表示位置における平均輝度レベルが「１９０」であれば、最適表示制御を行った後の最適撮影条件は、撮影Ｘ線管電圧が「８０ｋＶ」、撮影Ｘ線管電流が「２５０ｍＡ」、撮影Ｘ線の露光時間が「１００ｍｓ」、撮影Ｘ線発生部１の焦点サイズが「Ｓｍａｌｌ（小）」であると推定される。なお、図８に示す平均輝度レベル幅と撮影条件との相関情報は、予め実験を通じて取得され、データベース化されて撮影条件記憶媒体２０に記憶される。
【００５１】
ステップＳ３０３は、メインＣＰＵ１５がステップＳ３０２で推定された最適撮影条件を最適撮影条件推定部２１から受け取り、Ｘ線制御部１０および露光タイマー制御部２６に送るステップである。
【００５２】
ステップＳ３０４は、Ｘ線制御部１０や露光タイマー制御部２６等の協働により、ステップＳ３０２で推定された最適撮影条件に基づく撮影を行うステップである。この撮影は、ステップＳ２０１〜ステップＳ２０４の最適表示制御が完了したとき、その完了のタイミングで自動的に或いは操作者による要求を受けて行われる。
【００５３】
次に、Ｘ線画像診断装置Ｕの効果を説明する。
【００５４】
（１）Ｘ線画像診断装置Ｕの制御系１４は、画像表示部１３の表示画面２７上でＸ線画像の特定の位置３０が指定されたとき、指定された位置３０が表示画面の最適表示位置（例えば、表示画面２７の中央位置３２）に映る撮影が行われるように、Ｘ線発生部１と天板５との相対位置の調節（最適表示制御：ステップＳ２０１〜ステップＳ２０４）を行う。
【００５５】
よって、操作者は、機械制御部７を操作してやＣアーム３や天板５を駆動させることなく、被検体の注目部位にＸ線を照射でき所望のＸ線画像を得ることができる。すなわち、消化管などの検査のように被検体の注目部位を正確に捉えることが容易でない場合でも、操作者は画像表示部１３の表示画面２７上で注目部位を指定するだけで被検体の注目部位にＸ線が正確に照射される。その結果、寝台４等の位置決定がなかなか上手く行かないことによる被検体の被曝線量増加や操作者の操作ストレスの問題が解消される。
【００５６】
（２）Ｘ線画像診断装置Ｕの制御系１４は、撮影条件の設定工程で生成される透視Ｘ線画像を画像表示部１３に表示し、この透視Ｘ線画像２８の特定の位置３０が指定されたときに上述の最適表示制御を行う。このため、比較的強いＸ線を照射する撮影を行うことなく、（１）の効果を得ることができる。
【００５７】
（３）Ｘ線画像診断装置Ｕの制御系１４は、最適表示制御を行う前にあらかじめ、最適表示制御を行った後の撮影で取得されるＸ線画像が所定の平均輝度レベルとなるために必要な最適撮影条件を推定する最適撮影条件推定部２１を有する。すなわち、最適表示制御が完了したときは、撮影条件を設定することなく直ちに且つ最適撮影条件にてＸ線撮影が可能となる。したがって、Ｘ線画像診断装置を用いた診断のスループットが向上する。
【００５８】
（４）Ｘ線画像診断装置Ｕの制御系１４は、Ｘ線画像の平均輝度レベルと撮影条件とが相関付けられた撮影条件データベースを記憶する撮影条件記憶媒体２０を有し、最適撮影条件推定部２１は、最適表示制御を行う前にあらかじめ、表示画面２７の最適表示位置として平均輝度レベルを算出し、撮影条件データベースに登録され且つ算出した平均輝度レベルに対応する撮影条件を最適撮影条件とする。このため、（３）の効果を容易に得ることができる。
【００５９】
以上、本発明に係るＸ線画像診断装置を１つの実施形態に基づき説明してきたが、具体的な構成については、本実施形態に限られるものではなく、特許請求の範囲に記載の発明の要旨を逸脱しない限り設計の変更や追加等は許容される。
【００６０】
例えば、表示画面の最適表示位置は、表示画面の中央に設定する例を示したが、最適とする位置は任意に設定される。
【００６１】
また、最適撮影条件は、撮影Ｘ線管電圧、撮影Ｘ線管電流、露光時間、焦点サイズとする例を示したが、Ｘ線の強度、照射線量および照射範囲などを制御するために用いられるものであれば、その対象にできる。
【符号の説明】
【００６２】
Ｐ……被検体，  １……Ｘ線発生部，  ２……Ｘ線検出部，  ３……Ｃアーム，  ４……寝台，  ５……天板，  ６……支持台，  ７……機械制御部，  ８……機械操作部，  ９……高電圧発生部，  １０……Ｘ線制御部，  １１……撮影プロトコル選択部，  １２……撮影プロトコル表示部，  １３……画像表示部，  １４……制御系，  １５……メインＣＰＵ，  １６……主記憶装置，  １７……撮影プロトコル記憶媒体，  １８……位置記憶媒体，  １９……最適位置推定部，  ２０……撮影条件記憶媒体，  ２１……最適撮影条件推定部，  ２２……画像処理用ＣＰＵ，  ２３……画像信号処理部，  ２４……画像記憶媒体，  ２５……輝度制御部，  ２６……露光タイマー制御部，  ２７……画像表示部の表示画面，  ２８……透視Ｘ線画像，  ２９……関心部位，  ３０……透視Ｘ線画像の指定位置，  ３１……カーソル，  ３２……表示画面の中央位置．
【図１】
2010201103.tif 000003
【図２】
2010201103.tif 000004
【図３】
2010201103.tif 000005
【図４】
2010201103.tif 000006
【図５】
2010201103.tif 000007
【図６】
2010201103.tif 000008
【図７】
2010201103.tif 000009
【図８】
2010201103.tif 000010